(57)【要約】【課題】オフモードで電源が遮断されるメインＣＰＵによって、電源供給モードの管理を適切に行うことができる電子機器を提供する。【解決手段】全ての電源供給モードで電源が供給され、電源スイッチ５２の操作を監視するサブマイコン９と、メインＣＰＵ７１の管理下にあり、電源供給モードをモード情報として記憶するモード記憶部７２とを具備し、サブマイコン９は、メインＣＰＵ７１からオフモードへの移行が指示されると、オフモード通知信号をアサートすると共に、オフモードで電源スイッチ５２のオン操作を検出すると、メインＣＰＵ７１への電源の供給を開始させて起動させ、メインＣＰＵ７１は、オフモード通知信号がアサート状態で、且つモード情報が「オフモード」である場合、レディーモードに移行させ、オフモード通知信号がネゲート状態で、且つモード情報が「オフモード」である場合、オフモードに移行させる。【選択図】図１
2017199054.tif 000002
【特許請求の範囲】
【請求項１】
電源供給モードとして、装置全体を制御するメインＣＰＵに電源が供給されるレディーモードと、前記メインＣＰＵへの電源が遮断され、電源スイッチの操作だけを監視するオフモードとを有する電子機器であって、
全ての前記電源供給モードで電源が供給され、前記電源スイッチの操作を監視すると共に、前記メインＣＰＵに電源を供給する電源部を管理するマイコンと、
前記メインＣＰＵの管理下にあり、前記電源供給モードをモード情報として記憶する不揮発性メモリーとを具備し、
前記マイコンは、前記レディーモードで前記メインＣＰＵから前記オフモードへの移行が指示されると、前記メインＣＰＵに出力するオフモード通知信号をアサートすると共に、前記オフモードで前記電源スイッチのオン操作を検出すると、前記メインＣＰＵへの電源の供給を開始させて起動させ、
前記オフモード通知信号は、前記マイコンへの電源の遮断によってネゲートされ、
前記メインＣＰＵは、前記オフモード通知信号がアサート状態で、且つ前記モード情報が「オフモード」である場合、前記レディーモードに移行させ、前記オフモード通知信号がネゲート状態で、且つ前記モード情報が前記「オフモード」である場合、前記オフモードに移行させることを特徴とする電子機器。
【請求項２】
前記メインＣＰＵは、前記モード情報が「オフモード以外」である場合、前記オフモード通知信号に関わらず、前記レディーモードに移行させることを特徴とする請求項１記載の電子機器。
【請求項３】
前記オフモード通知信号は、オープンコレクタ出力であることを特徴とする請求項１又は２記載の電子機器。
【請求項４】
前記レディーモードで電源が供給され、前記オフモードで電源が遮断されるエンジン部を具備し、
前記エンジン部の駆動信号は、前記オフモード通知信号でゲートされ、前記オフモード通知信号がネゲート状態では初期値として前記エンジン部が駆動されないことを特徴とする請求項１乃至３のいずれかに記載の電子機器。
【発明の詳細な説明】
【技術分野】
【０００１】
本発明は、ソフトスイッチである電源スイッチのオフ操作により、電源スイッチの操作だけを監視するモード（以下、オフモードと称す）に移行する画像形成装置等の電子機器に関する。
【背景技術】
【０００２】
オフモードを有する画像形成装置では、電源スイッチがオン操作されると、各機能（コピー機能、プリント機能、ＦＡＸ機能、ネットワーク機能等）を実現するデバイスに電源が供給されるレディーモードになる。そして、レディーモードで、電源スイッチがオフ操作されると、各機能を実現するデバイスへの電源の供給を停止し、電源スイッチの操作を監視するオフモードとなる。
【０００３】
また、画像形成装置には、画像処理を行うと共に、装置全体を制御するメインＣＰＵと、メインＣＰＵから指示を受けて印刷部（印刷ジョブを実行するエンジン部）を制御するエンジンＣＰＵとを備えたものがある。このような画像形成装置において、オフモードでの電源スイッチの操作の監視は、メインＣＰＵよりも消費電力の小さいエンジンＣＰＵが担っていた。
【０００４】
従って、オフモードでは、エンジンＣＰＵにのみ電源が供給される電源供給状態となっている。オフモードで、停電やＡＣプラグの挿抜により電力供給が遮断され再投入されると、エンジンＣＰＵは再起動される。この際、エンジンＣＰＵが制御している不揮発性メモリーに「オフモード」と「オフモード以外」とを区別するモード情報を記憶しておくことで、エンジンＣＰＵは、電力供給が遮断される前の電源供給状態に復帰させるように構成されている（例えば、特許文献１を参照）。これにより、ＦＡＸの待ち受け時等のレディーモードで停電や瞬時停電が起こった際に、ユーザーの操作を介さずに待ち受け状態に戻ることができる。また、電源スイッチをオフ操作してオフモードにしてＡＣプラグを挿抜した際にオフモードに復帰するため、装置を移動する際にオフモードを利用しても自然な挙動となる。
【先行技術文献】
【特許文献】
【０００５】
【特許文献１】特開２０１５−１７０３３２号公報
【発明の概要】
【発明が解決しようとする課題】
【０００６】
しかしながら、従来技術では、メインＣＰＵが電源スイッチの操作に伴うオフモードへの移行を監視できていないため、ファームウェアアップデート中や起動中等のデータハンドリング中にオフモードに移行してしまうリスクがあった。例えば、ファームウェアアップデート中にオフモードへ移行してしまうと、ファームウェアの破損につながり、起動できなくなるといった恐れがある。
【０００７】
本発明は、上記課題に鑑みてなされたものであり、その目的とするところは、オフモードで電源が遮断されるメインＣＰＵによって、電源供給モードの管理を適切に行うことができる電子機器を提供することを目的とする。
【課題を解決するための手段】
【０００８】
本発明の電子機器は、電源供給モードとして、装置全体を制御するメインＣＰＵに電源が供給されるレディーモードと、前記メインＣＰＵへの電源が遮断され、電源スイッチの操作だけを監視するオフモードとを有する電子機器であって、全ての前記電源供給モードで電源が供給され、前記電源スイッチの操作を監視すると共に、前記メインＣＰＵに電源を供給する電源部を管理するマイコンと、前記メインＣＰＵの管理下にあり、前記電源供給モードをモード情報として記憶する不揮発性メモリーとを具備し、前記マイコンは、前記レディーモードで前記メインＣＰＵから前記オフモードへの移行が指示されると、前記メインＣＰＵに出力するオフモード通知信号をアサートすると共に、前記オフモードで前記電源スイッチのオン操作を検出すると、前記メインＣＰＵへの電源の供給を開始させて起動させ、前記オフモード通知信号は、前記マイコンへの電源の遮断によってネゲートされ、前記メインＣＰＵは、前記オフモード通知信号がアサート状態で、且つ前記モード情報が「オフモード」である場合、前記レディーモードに移行させ、前記オフモード通知信号がネゲート状態で、且つ前記モード情報が前記「オフモード」である場合、前記オフモードに移行させることを特徴とする。
さらに、本発明の電子機器において、前記メインＣＰＵは、前記モード情報が「オフモード以外」である場合、前記オフモード通知信号に関わらず、前記レディーモードに移行させても良い。
さらに、本発明の電子機器において、前記オフモード通知信号は、オープンコレクタ出力であっても良い。
さらに、本発明の電子機器において、前記レディーモードで電源が供給され、前記オフモードで電源が遮断されるエンジン部を具備し、前記エンジン部の駆動信号は、前記オフモード通知信号でゲートされ、前記オフモード通知信号がネゲート状態では初期値として前記エンジン部が駆動されなくても良い。
【発明の効果】
【０００９】
本発明によれば、メインＣＰＵは起動時に、オフモードへの移行指示によってアサートされ、マイコンへの電源の遮断によってネゲートされるオフモード通知信号と、モード情報とに基づいて電源供給モードを決定するため、オフモードで電源が遮断されるメインＣＰＵによって、電源供給モードの管理を適切に行うことができる。
【図面の簡単な説明】
【００１０】
【図１】本発明に係る電子機器の実施の形態の概略構成を示すブロック図である。
【図２】図１に示す画像形成装置が有する電源供給モードを説明するモード遷移図である。
【図３】図１に示すメインＣＰＵによる電源状態判別動作を示す遷移表である。
【発明を実施するための形態】
【００１１】
次に、本発明の実施の形態を、図面を参照して具体的に説明する。
本実施の形態の電子機器は画像形成装置１であり、図１を参照すると、原稿読取部２と、原稿給送部３と、記録部４と、操作部５と、主制御部７と、エンジン制御部８と、サブマイコン９とを備えている。操作部５は、液晶表示部５１、電源スイッチ５２、操作ボタン５３が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、原稿サイズの設定、両面印刷や白黒反転等の機能や倍率設定、濃度設定など各種設定を行うことができる。電源スイッチ５２は、各機能を実現するデバイスへの電源の供給を停止し、電源スイッチ５２のオン操作だけを監視するオフモードへの移行を指示するソフトスイッチである。操作ボタン５３としては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１２】
原稿読取部２は、スキャナーと、プラテンガラスと、原稿読取スリットとを備える。原稿読取部２は、プラテンガラスに載置された原稿を読み取る場合、スキャナーをプラテンガラスに対向する位置に移動させ、プラテンガラスに載置された原稿を走査しながら読み取って画像データを取得し、取得した画像データを記録部４に出力する。また、原稿読取部２は、原稿給送部３から給送された原稿を読み取る場合、スキャナーを原稿読取スリットと対向する位置に移動させ、原稿読取スリットを介し、原稿給送部３による給送動作と同期して原稿を読み取って画像データを取得し、取得した画像データを記録部４に出力する。
【００１３】
原稿給送部３は、原稿載置部と、原稿搬送機構とを備え、原稿載置部に載置された原稿を原稿搬送機構によって１枚ずつ順に繰り出して原稿読取部２に給送する。
【００１４】
記録部４は、感光体ドラム、帯電部、露光部、現像部、転写部、定着部等を備え、帯電、露光、現像、転写、定着からなる画像形成プロセスを実行することで記録紙Ｐにトナー像を記録する。
【００１５】
主制御部７は、メインＣＰＵ７１、ＲＯＭ（Read Only Memory）、ＲＡＭ（Random Access Memory）等を備えた情報処理部である。ＲＯＭには画像形成装置１の動作制御を行うための制御プログラムが記憶されている。メインＣＰＵ７１は、ＲＯＭに記憶されている制御プログラムを読み出し、制御プログラムをＲＡＭに展開させることで、装置全体を制御する。また、主制御部７は、「オフモード」と「オフモード以外」とを区別するモード情報を記憶するモード記憶部７２を備えている。モード記憶部７２は、メインＣＰＵ７１の管理下にある不揮発性メモリーであり、例えば、メインＣＰＵ７１に搭載されているＥＥＰＲＯＭ等で構成することができる。また、本実施の形態において、モード情報は、「オフモード」を「０」、「オフモード以外」を「１」とする１ビットで構成する。さらに、主制御部７は、画像処理専用のＡＳＩＣ等を備え、画像データに対して各種画像処理（拡大／縮小、濃度変換およびデータ形式変換等）を施す画像処理部７３として機能する。
【００１６】
また、主制御部７には、操作部５の液晶表示部５１及び操作ボタン５３と、通信部１１と、記憶部１２とが接続されている。主制御部７は、液晶表示部５１及び操作ボタン５３の操作に応じて装置全体を制御すると共に、液晶表示部５１の表示動作を制御する。通信部１１は、ＬＡＮ等のネットワークを介して、パーソナルコンピューター等のユーザー端末から印刷ジョブ等を受信する機能を有する。記憶部１２は、半導体メモリーやＨＤＤ（Hard Disk Drive）等の記憶手段であり、印刷データである原稿読取部２によって原稿を読み取ることで取得された画像データや通信部１１によって受信した印刷ジョブ等が記憶される。
【００１７】
エンジン制御部８は、主制御部７から指示を受けて印刷ジョブを実行するエンジン部として機能する原稿読取部２、原稿給送部３、記録部４を制御する。エンジン制御部８は、エンジンＣＰＵ８１、ＲＯＭ（Read Only Memory）、ＲＡＭ（Random Access Memory）等を備えた情報処理部である。ＲＯＭにはエンジン部の動作制御を行うための制御プログラムが記憶されている。エンジンＣＰＵ８１は、ＲＯＭに記憶されている制御プログラムを読み出し、制御プログラムをＲＡＭに展開させることで、主制御部７の指示に基づいてエンジン部を制御する。
【００１８】
サブマイコン９は、マイクロコンピューターを備えた情報処理部であり、主制御部７と、電源スイッチ５２と電源部１０とに接続されている。電源部１０は、図示しない商用電源からの電力供給を受け、画像形成装置１の各部を動作させるのに必要な電源（電圧）を生成する。サブマイコン９は、電源スイッチ５２の操作の監視と、電源部１０から各部への電源管理とを行う電源管理用の制御部である。なお、サブマイコン９自体で行う制御は、オフモードにおける電源スイッチ５２のオン操作や起動時に、電源部１０からメインＣＰＵ７１への電源供給を開始させる制御と、メインＣＰＵ７１によってオフモードへの移行が指示されると、オフモード通知信号をアサートする制御とのみである。その他の電源部１０から各部への電源供給の管理は、実際はメインＣＰＵ７１が管理し、サブマイコン９は、主制御部７のメインＣＰＵ７１と通信を行い、メインＣＰＵ７１の指示に従う。従って、電源スイッチ５２がオフ操作された際もサブマイコン９はメインＣＰＵ７１に電源スイッチ５２の操作を通知するのみであり、電源部１０から各部への電源供給の管理はメインＣＰＵ７１が行う。従って、電源スイッチ５２がオフ操作されると、サブマイコン９は、メインＣＰＵ７１の制御にて、主制御部７とエンジン制御部８との電源遮断を行う。
【００１９】
オフモード通知信号は、サブマイコン９から主制御部７のメインＣＰＵ７１に出力される信号である。サブマイコン９は、メインＣＰＵ７１からオフモードへの移行が指示されると、オフモード通知信号をアサートし、メインＣＰＵ７１からレディーモードへの復帰が指示されると、オフモード通知信号をネゲートする。また、オフモード通知信号をアサートした状態で停電やＡＣプラグの挿抜によりサブマイコン９への電源が一旦遮断された場合には、オフモード通知信号はネゲートされることになる。なお、オフモード通知信号は、オフモードで電源が遮断されるメインＣＰＵ７１に出力するので、回り込みが発生しないようにオープンコレクタ出力となっている。
【００２０】
次に、画像形成装置１における電源供給モードについて図２を参照して詳細に説明する。
画像形成装置１は、図２に示すように、電源供給モードとして、レディーモードと、レディーモードよりも消費電力を減らすスリープモードと、スリープモードよりもさらに消費電力を減らすオフモードとを有する。
【００２１】
レディーモードは、画像形成装置１が有する各機能（コピー機能、プリント機能、ネットワーク機能等）を実現する各部に電源が供給される通常モードである。レディーモードにおいて、電源部１０は、画像形成装置１の各部に対して通常の電力供給を行う。
【００２２】
レディーモードにおいて、メインＣＰＵ７１は、画像形成装置１が使用されないまま経過した未使用時間を計時し、未使用時間がスリープ移行時間を超えると、レディーモードからスリープモードに移行するようにサブマイコン９を介して電源部１０に指示する。あるいは、メインＣＰＵ７１は、スリープモード移行指示を操作部５から受け付けた場合にも、スリープモードに移行するようにサブマイコン９を介して電源部１０に指示する。
【００２３】
スリープモードにおいて、電源部１０は、主制御部７及びエンジン制御部８に接続された各部への電源供給を制限する。さらに、メインＣＰＵ７１及びエンジンＣＰＵ８１は、動作クロックを低くするクロック低速モードで動作し、消費電力を減らす。
【００２４】
レディーモードもしくはスリープモードにおいて、メインＣＰＵ７１は、画像形成装置１が使用されないまま経過した未使用時間を計時し、未使用時間がオフ移行時間を超えると、レディーモードもしくはスリープモードからオフモードに移行するようにサブマイコン９を介して電源部１０に指示する。あるいは、メインＣＰＵ７１は、電源スイッチ５２のオフ操作をサブマイコン９経由で受け付けた場合にも、オフモードに移行するようにサブマイコン９を介して電源部１０に指示する。なお、メインＣＰＵ７１は、オフモードへの移行に際し、モード記憶部７２のモード情報を「０」（「オフモード」）に更新する。
【００２５】
オフモードにおいて、電源部１０は、メインＣＰＵ７１及びエンジンＣＰＵ８１を含む各部への電源供給を遮断し、サブマイコン９のみに電源を供給する。すなわち、オフモードは、サブマイコン９によって電源スイッチ５２の操作だけを監視するモードである。サブマイコン９は、上述のように機能が限定されているため、消費電力がメインＣＰＵ７１及びエンジンＣＰＵ８１のクロック低速モードに比べて格段に小さくなっている。
【００２６】
次に、メインＣＰＵ７１による電源状態判別動作について図３を参照して詳細に説明する。
【００２７】
メインＣＰＵ７１は、電源供給を開始されると、ブート時にオフモード通知信号とモード記憶部７２のモード情報とを確認することで電源状態を判別し、移行する電源供給モードを決定する。
【００２８】
オフモード通知信号がアサートされた状態で、且つモード記憶部７２のモード情報が「０」（「オフモード」）である場合、レディーモードもしくはスリープモードからオフモードへの移行が正常に行われ、停電やＡＣプラグの挿抜により画像形成装置１への電源が遮断されることなく、オフモードにおいて、サブマイコン９が電源スイッチ５２のオン操作を受け付けたと判断される。従って、メインＣＰＵ７１は、オフモード通知信号がアサートされた状態で、且つモード記憶部７２のモード情報が「０」（「オフモード」）である場合、レディーモードへの移行であることを認識し、レディーモードに移行するようにサブマイコン９を介して電源部１０に指示する。なお、メインＣＰＵ７１は、レディーモードへの移行に際し、モード記憶部７２のモード情報を「１」（「オフモード以外」）に更新する。
【００２９】
オフモード通知信号がネゲートされた状態で、且つモード記憶部７２のモード情報が「０」（「オフモード」）である場合、レディーモードもしくはスリープモードからオフモードへの移行が正常に行われ、停電やＡＣプラグの挿抜により画像形成装置１への電源が遮断されたと判断される。従って、メインＣＰＵ７１は、オフモード通知信号がネゲートされた状態で、且つモード記憶部７２のモード情報が「０」（「オフモード」）である場合、オフモードへの移行であることを認識し、オフモードに移行するようにサブマイコン９を介して電源部１０に指示する。
【００３０】
オフモード通知信号がアサートされた状態で、且つモード記憶部７２のモード情報が「１」（「オフモード以外」）である場合、通常動作では考えられないイレギュラーなケースと判断される。従って、メインＣＰＵ７１は、オフモード通知信号がアサートされた状態で、且つモード記憶部７２のモード情報が「１」（「オフモード以外」）である場合、レディーモードへの移行であることを認識し、レディーモードに移行するようにサブマイコン９を介して電源部１０に指示する。
【００３１】
オフモード通知信号がネゲートされた状態で、且つモード記憶部７２のモード情報が「１」（「オフモード以外」）である場合、レディーモード中もしくはスリープモード中に停電やＡＣプラグの挿抜により画像形成装置１への電源が遮断されたと判断される。従って、メインＣＰＵ７１は、オフモード通知信号がネゲートされた状態で、且つモード記憶部７２のモード情報が「１」（「オフモード以外」）である場合、レディーモードへの移行であることを認識し、レディーモードに移行するようにサブマイコン９を介して電源部１０に指示する。
【００３２】
なお、オフモード通知信号がネゲートされた状態で、且つモード記憶部７２のモード情報が「０」（「オフモード」）である場合、電源起動時からオフモードへ自動移行される。このオフモードへの自動移行に際し、エンジン部（原稿読取部２、原稿給送部３、記録部４）が駆動され、モーターや定着が駆動されることは好ましくない。従って、エンジン部の駆動信号をオフモード通知信号でゲートし、オフモード通知信号がネゲートされた状態では初期値としてエンジン部が駆動しないように構成されている。このことにより、オフモードからの復帰以外は初期値としてエンジン部が駆動しない設定、オフモードからの復帰の際はハード的にエンジン部を駆動する設定をとることができる。ソフトの設定を行わずともエンジン部のモーターや定着をいち早く駆動することができ、起動時間の短縮も可能となる。
【００３３】
以上説明したように、本実施の形態は、電源供給モードとして、装置全体を制御するメインＣＰＵ７１に電源が供給されるレディーモードと、メインＣＰＵ７１への電源が遮断され、電源スイッチ５２の操作だけを監視するオフモードとを有する電子機器である画像形成装置１であって、全ての電源供給モードで電源が供給され、電源スイッチ５２の操作を監視すると共に、メインＣＰＵ７１に電源を供給する電源部１０を管理するサブマイコン９と、メインＣＰＵ７１の管理下にあり、電源供給モードをモード情報として記憶する不揮発性メモリーであるモード記憶部７２とを具備し、サブマイコン９は、レディーモードでメインＣＰＵ７１からオフモードへの移行が指示されると、メインＣＰＵ７１に出力するオフモード通知信号をアサートすると共に、オフモードで電源スイッチ５２のオン操作を検出すると、メインＣＰＵ７１への電源の供給を開始させて起動させ、オフモード通知信号は、サブマイコン９への電源の遮断によってネゲートされ、メインＣＰＵ７１は、オフモード通知信号がアサート状態で、且つモード情報が「オフモード」である場合、レディーモードに移行させ、オフモード通知信号がネゲート状態で、且つモード情報が「オフモード」である場合、オフモードに移行させる。
このシンプル且つ低コストな構成により、オフモードで電源が遮断されるメインＣＰＵ７１によって、電源供給モードの管理を適切に行うことができる。すなわち、停電やＡＣプラグの挿抜により電力が遮断され再投入されると、オフモード通知信号とモード情報とを確認することで、電力供給が遮断される前の電源供給モードに復帰させることができるため、ユーザーの使用感を損なうことない。また、電源スイッチ５２の操作を監視するサブマイコン９の機能を限定することができるため、サブマイコン９の消費電力をメインＣＰＵ７１のクロック低速モードに比べても格段に小さくすることができ、オフモードでの消費電力を抑制することができる。
【００３４】
さらに、本実施の形態によれば、メインＣＰＵ７１は、モード情報が「オフモード以外」である場合、オフモード通知信号に関わらず、レディーモードに移行させる。
この構成により、オフモードで電源が遮断されるメインＣＰＵ７１によって、電源供給モードの管理を適切に行うことができる。
【００３５】
さらに、本実施の形態によれば、オフモード通知信号は、オープンコレクタ出力である。
この構成により、オフモードで電源が遮断されるメインＣＰＵ７１への回り込みが発生しない。
【００３６】
さらに、本実施の形態によれば、レディーモードで電源が供給され、オフモードで電源が遮断されるエンジン部（原稿読取部２、原稿給送部３、記録部４）を具備し、エンジン部の駆動信号は、オフモード通知信号でゲートされ、オフモード通知信号がネゲート状態では初期値としてエンジン部が駆動されない。
この構成により、オフモード通知信号を用いることで、メインＣＰＵ７１による電源状態判別動作に際し、エンジン部の駆動を停止させることができる。従って、電力が再投入されてオフモードに移行する際に、エンジン部におけるモーターやセンサーの駆動に起因する音や振動が発生することなく、ユーザーの使用感を損なうことがない。
【００３７】
なお、本発明が上記各実施の形態に限定されず、本発明の技術思想の範囲内において、各実施の形態は適宜変更され得ることは明らかである。
【符号の説明】
【００３８】
１  画像形成装置
２  原稿読取部
３  原稿給送部
４  記録部
５  操作部
７  主制御部
８  エンジン制御部
９  サブマイコン
１０  電源部
１１  通信部
１２  記憶部
５１  液晶表示部
５２  電源スイッチ
５３  操作ボタン
７１  メインＣＰＵ
７２  モード記憶部
７３  画像処理部
８１  エンジンＣＰＵ
【図１】
2017199054.tif 000003
【図２】
2017199054.tif 000004
【図３】
2017199054.tif 000005